(57)【特許請求の範囲】
【請求項１】
右枠と、左枠と、化粧板と、ベースと、で外観を構成し、
前記ベースには、縁部と枠止め部とを有し、
前記右枠の下部と、左枠の下部は、前記枠止め部に対向して穴を有し、
前記右枠の上部と、左枠の上部は、右枠と左枠とが嵌まり合って互いに固定する上部固定部を有し、
前記化粧板の上面には、操作面と、
前記操作面の背面に取り付けられた操作部ケースとを有し、
前記操作部ケースには、係止片を設け、
前記係止片に対向する、前記右枠の上部と、左枠の上部には、受け部を有し、
前記化粧板の下部には、前記ベースの縁部と係止する段部を有し、
前記化粧板の下端とベースの間に隙間を有することを特徴とする空気調和機。
【請求項２】
右枠と、左枠と、化粧板と、ベースと、で外観を構成し、
前記ベースには、縁部と枠止め部とを有し、
前記右枠の下部と、左枠の下部は、前記枠止め部に対向して穴を有し、
前記右枠の上部と、左枠の上部は、右枠と左枠とが嵌まり合って互いに固定する上部固定部を有し、
前記化粧板の上面には、操作面と、
前記操作面の背面に取り付けられた操作部ケースとを有し、
前記操作部ケースには、係止片を設け、
前記係止片に対向する、前記右枠の上部と、左枠の上部には、受け部を有し、
前記化粧板の下部には、前記ベースの縁部と係止する段部を有し、
前記縁部の上端と段部の間、および、前記化粧板の下端とベースの間に隙間を有することを特徴とする空気調和機。
【発明の詳細な説明】
【技術分野】
【０００１】
本発明は、除湿機などの空気調和機に関する。
【背景技術】
【０００２】
空気調和機の一例である除湿機等には、化粧板や枠体の表面に運転停止やタイマー設定などの操作を行う操作部が設けられている。操作部の背面には各種のスイッチや表示ランプ等が配置された操作部基板が多数のネジ等によって固定されている。
【０００３】
また、操作部や操作部が取り付けられた操作カバー等は樹脂材料で成形され、外枠の上面に取り付けられている。
【先行技術文献】
【特許文献】
【０００４】
【特許文献１】実公平６−２５７７４号公報
【発明の概要】
【発明が解決しようとする課題】
【０００５】
この種の除湿機等の空気調和機の操作部は、使用者の操作が行いやすい、外枠の上面に設けられることが多く、使用者が常に操作を行うことで、特に使用者から視覚的に注目される部分である。また、操作部や操作カバーは外枠にネジ止めやツメ止めされるが、部品その物の寸法誤差や組立時の組み付け誤差等で、外枠と操作部や操作カバーとの間に隙間や段差が生じると、使用者が視覚的に注目する部分であるので、美観を損ねることで、商品性が低下する問題がある。
【０００６】
また、隙間や段差が生じることを防止するために、頻繁な部品寸法のチェックや、慎重な組立作業を行こなった場合には、製品コストの上昇を招くものであった。
【課題を解決するための手段】
【０００７】
本発明に係る空気調和機は、上述した課題を解決するために、右枠と、左枠と、化粧板と、ベースと、で外観を構成し、前記ベースには、縁部と枠止め部とを有し、前記右枠の下部と、左枠の下部は、前記枠止め部に対向して穴を有し、前記右枠の上部と、左枠の上部は、右枠と左枠とが嵌まり合って互いに固定する上部固定部を有し、前記化粧板の上面には、操作面と、前記操作面の背面に取り付けられた操作部ケースとを有し、前記操作部ケースには、係止片を設け、前記係止片に対向する、前記右枠の上部と、左枠の上部には、受け部を有し、前記化粧板の下部には、前記ベースの縁部と係止する段部を有し、前記化粧板の下端とベースの間に隙間を有することを特徴とする。
【発明の効果】
【０００８】
本発明に係る空気調和機においては、化粧板上面の操作部に近い、操作部ケースの係止片と、この係止片に対向する受け部の接触面を、基準面にして、使用者からは見えにくい化粧板の下端とベースの間に隙間を設けることで、外枠と操作部の間に隙間や段差が生じることを、簡単に防止することができ、美観を損ねることで商品性が低下することを防止しする。
また、構造が簡単なので、コストアップを招くことなく、コンパクトで安価な空気調和機を提供することができる。
【図面の簡単な説明】
【０００９】
【図１】本実施形態における除湿機の外観斜視図。
【図２】除湿機の分解斜視図。
【図３】除湿機の縦断面図。
【図４】除湿機の機能構成を示す概略的な機能ブロック図。
【図５】化粧板を取り外した状態の斜視図。
【図６】基準面と隙間寸法の関係を示す概略断面図。
【図７】操作部の分解斜視図。
【図８】操作部の中央縦断面図。
【図９】操作面側から見た操作部ケースの外観図。
【図１０】化粧板の下部とベースの関係を示す拡大断面図。
【発明を実施するための形態】
【００１０】
本発明に係る空気調和機の一実施形態を添付図面に基づいて説明する。本実施形態においては、本発明の空気調和機を、蒸気圧縮式冷凍サイクルを利用し空気中に含まれる水分を結露させて除湿する除湿機に適用して説明する。
【００１１】
図１は、本実施形態における除湿機１の外観斜視図である。
図２は、除湿機１の分解斜視図である。
図３は、除湿機１の縦断面図である。
図４は、除湿機１の機能構成を示す概略的な機能ブロック図である。
【００１２】
除湿機１は、除湿機１の外観を構成する右枠２と、左枠３と、化粧板４と、ベース５とを有している。右枠２と左枠３とが嵌まり合った上端部分は、取手１０を形成する。右枠２は、複数のスリットを有する吸込口１１を有している。吸込口１１は、外側表面１２側にフィルタ１３と、フィルタケース１４とを有している。フィルタ１３は、樹脂製の網や不織布などからなり、吸入空気に混入する塵埃や臭い成分などを取り除く。フィルタケース１４は、フィルタ１３を吸込口１１に取り付ける。また、右枠２は、ドレンタンク１５が着脱されるタンク挿入口１６を吸込口１１下部に有している。
【００１３】
左枠３は、複数のスリットを有する吹出口２０を上部に有している。吹出口２０は、乾燥空気の吹出方向を斜め上方向から水平方向に制御可能な風向板２１を有している。風向板２１は、風向板モータ２２により駆動される。
【００１４】
化粧板４は、上方に操作部２５を有している。操作部２５は、図２に示すように、化粧板４の操作面２６と、操作部ケース２７と、操作部基板２８とで構成されている。操作部２５は、例えば、運転スイッチ、タイマースイッチ、運転モード選択スイッチなどのスイッチ部２９と、運転ランプなどの表示部３０とを有している。
【００１５】
除湿機１は、主な内部部品として、シロッコファン３１と、ファンモータ３２と、冷凍装置と、ドレンタンク１５と、コントロールユニット３４と、満水検知機構とを有している。
【００１６】
シロッコファン３１は、ファンモータ３２の回転軸と同軸状に回転中心が固定されている。シロッコファン３１は、吸込口１１から空気を吸い込み、吹出口２０から吹き出す風路を形成する。シロッコファン３１およびファンモータ３２は、ファンケース３６に取り付けられている。
【００１７】
冷凍装置は、冷媒が流れる順に、圧縮機４０と、凝縮器４１と、減圧装置４２と、蒸発器４３と、アキュムレータ４４とを有している。冷媒は、蒸発器４３を流れる際に蒸発器４３の外側を通過する空気から熱を奪い蒸発する。これにより、蒸発器４３の表面は露点温度以下に冷却され、そこを通過する空気中の水分が蒸発器４３の表面に結露する。この原理により、除湿機１が空気中から水分を除去して除湿する。
【００１８】
圧縮機４０は、ベース５上に固定されており、配管４５を介して蒸発器４３および凝縮器４１に接続されている。蒸発器４３および凝縮器４１は、第１熱交換器４８と第２熱交換器４９とでそれぞれ構成されている。第１熱交換器４８と第２熱交換器４９とは、それぞれフィンチューブ型の熱交換器であり、同一風路内に上流側から第１熱交換器４８、第２熱交換器４９の順に配置されている。蒸発器４３および凝縮器４１は、ファンケース３６におけるシロッコファン３１が固定された面と逆の面にドレンパン５０を介して固定されている。ドレンパン５０は、蒸発器４３で発生した結露水を受け、排水口５１からドレンタンク１５へ結露水を導く。
【００１９】
以上の構成により、吸込口１１から吸込まれた空気は、フィルタ１３で塵埃や臭い成分などが取り除かれた後、蒸発器４３で水分が除去され、さらに凝縮器４１を通過し、シロッコファン３１によって吹出口２０から吹き出される。
【００２０】
ドレンタンク（タンク）１５は、ドレンパン５０の排水口５１から排水される、発生したドレン水を溜める。ドレンタンク１５は、タンク挿入口１６を介してファンケース３６に対して水平方向のスライドにより着脱される。ドレンタンク１５は、ファンケース３６により形成されたタンク室５２（図３）に装着される。
【００２１】
ドレンタンク１５はタンク蓋５３を有し、排水口５１からの結露水はタンク蓋５３よりドレンタンク１５内に落下する。ドレンタンク１５は、鉛直下向き方向を挿入方向として挿入される浮き８０を収容する浮き収容部５４を有する。
【００２２】
浮き収容部５４は、ドレンタンク１５装着方向における奥側であって、ＡＭＲセンサ８２と対向する位置に設けられる。浮き収容部５４は、スリット５５と、挿入ガイド５６と、立ち上がり部５７と、抜け防止ピン５８とを有する。特に、スリット５５と挿入ガイド５６とは、浮き８０が所定の挿入向きでのみ挿入を可能とする挿入案内部として機能する。満水検知ユニットは、浮き８０と、浮き８０に設けられたマグネット８１と、マグネット８１の磁界を検出するＡＭＲセンサ８２とを有している。ＡＭＲセンサ（Anisotropic-Magneto-Resistance、異方性磁気抵抗センサ）８２は、信号処理回路などと共に基板９０に実装され、マグネット８１の着磁方向に平行な、水平方向の磁界を検出するようにファンケース３６に取り付けられている。具体的には、ＡＭＲセンサ８２は、ファンケース３６のタンク室５２とは逆面であってドレンタンク１５の浮き収容部５４（浮き８０、マグネット８１）に対応する位置に設けられる。すなわち、マグネット８１およびＡＭＲセンサ８２は、挿入方向と直交する方向において対向している。
【００２３】
図４に示すコントロールユニット３４（制御部）は、スイッチ部２９からの指示に基づいて風向板モータ２２、ファンモータ３２や圧縮機４０などを電気的に制御することにより、除湿機１の動作を制御する。コントロールユニット３４は、記憶部７０およびタイマ７１を有している。記憶部７０は、スイッチ部２９より受け付けた指示に基づいて実行される、風向板モータ２２、ファンモータ３２、圧縮機４０および表示部３０の動作プログラムなどを記憶する。タイマ７１は、除湿機１のタイマ運転などのための計時を行う。温度センサ７５および湿度センサ７６は、除湿機１本体の所定位置に設けられ、除湿機１の周囲温度および湿度を計測し、コントロールユニット３４は必要に応じて得られた値を制御に使用する。報知部７８は、コントロールユニット３４の指示に基づいてユーザに状況を知らせるためのアラームを報知する。
【００２４】
コントロールユニット３４は、ＡＭＲセンサ８２の検出結果に基づいて、ドレンタンク１５の水位（満水）を検知する。
【００２５】
図５から図１０の図面によって、操作部２５が取り付けられた化粧板４と右枠２・左枠３とベース５との関係を示す、詳細な構造を説明する。
【００２６】
操作部２５は化粧板４の上部に設けられ、化粧板４の上面に操作面２６を有している。操作面２６には多数のボタン穴２６１と、表示部３０のランプ等が発する光を上方に発散するための表示穴２６２を有している。
【００２７】
操作部基板２８は略横長扁平のプリント基板で、略中央には操作部基板２８を操作ケース２７にネジ止めするための取付穴２８１を備えている。取付穴２８１の周囲で、取付穴２８１を中心とする略同一円周（図９に示す一点鎖線の円）に沿って、５個の押圧式のタクトスイッチが半田付けされたスイッチ２８２を有している。スイッチ２８２の更に外周側には発光ダイオード等から成る１０個の表示ランプ２８３を有している。
【００２８】
操作部ケース２７には、操作部ケース２７の背面から取付穴２８１に向かって円柱状に突設したネジ止め部２７１を備えている。ネジ止め部２７１の周囲で、前記スイッチ２８２と対向する位置には５か所にボタン２７２を備え、ボタン２７２とバネ部２７３の周囲に隙間２７４を形成している。これによって、ボタン２７２が押圧されたときに、バネ部２７３の支持部２７５を支点にして柔軟に回動する。ボタン２７２の背面には、スイッチ２８２に向かって十字型のボタン足２７６を有している。
【００２９】
ボタン２７２の更に外側で表示ランプ２８３に対向する位置には円筒状の案内筒２７７を備えている。案内筒２７７の更に外側で、操作部基板２８の端部２８４を係止するツメ部２７８を上下に４か所有している。操作部ケース２７の左右には、取付穴２７９を備え、操作面２５の裏面に形成した取付ボス２６３に２本のネジ２５３で操作部ケース２７をネジ止めする。また、操作部ケース２７の下部にはガイド辺２８０を備え、操作面２５の裏面に形成するガイドリブ２６４に当接する。
【００３０】
操作部ケース２７の左右に備えた、取付穴２７９の更に外側には、横断面L字形に突出する左右一対の係止片６０を有している。この係止片６０に対向する右枠２の上部内側には、縦断面L字形に突出する右受け部６１と、左枠３の上部内側には、同様に縦断面L字形に突出する左受け部６２を有している。左右一対の係止片６０の下端部６０１が右受け部６１と左受け部６２の載置面（図６に示す基準面）に乗ることで、化粧板４の上部が左右枠２・３に係止して上下方向の位置決めがされる。これによって、左右枠２・３の上部前方の操作部取付段部６３と、操作部２５の上端部６４の間に段差や隙間が生じることなく、美しく当接することができる。また、操作部ケース２７の上部中央には、右枠２と左枠３の上部が嵌り合って、互いにネジ止め固定すると同時に左右枠２・３の中間に共締めされる固定部６０２（上部固定部）を有している。
【００３１】
化粧板４の操作面２６の表面にはフイルム状の操作文字板２５１が粘着剤等で貼付けられ、水に濡れた手での操作の際等に、操作面２６のボタン穴２６１や表示穴２６２から水が除湿機内に侵入して操作部基板２８等の電子部品が故障することを防止する。操作文字板２５１は、例えばポリエチレンテレフタレート等の丈夫で柔軟性を有する、樹脂材料で形成されている。また、操作面２６の表示穴２６２に対向する部分は透明もしくは半透明に形成した発光部２５５を有している。表示ランプ２８３の発光は、操作部基板２８の案内筒２７７を通過して、さらに操作面２６の表示穴２６２を通過し、さらに操作文字板２５１の発光部２５５通過することで、使用者に表示ランプ２８３の発光を知らしめる。
【００３２】
化粧板４の略中央部裏面には、左右一対の中央凸部６５が設けられ、この凸部６５に対向する左右枠２・３の略中央部分には、中央係止穴６６を有している。また、化粧板４の下部には段部６７を設け、この段部６７をベース５の縁から立設した縁部６８の背面側に差し込んで、化粧板４の下端６９を外観に表れないようにしている。また、ベース５のタンク室５２側には多数の枠止め用の突起を立設し枠止め部６８１を形成し、この枠止め部６８１に対向する左右枠２・３に備えたネジ穴６０３でネジ止めする。
【００３３】
化粧板４を左右枠２・３とベースに組み込む手順を説明する。あらかじめ、操作部基板２８の端部２８４を操作部ケース２７に備えた、ツメ部２７８に係止し、操作部基板２８中央の取付穴２８１を貫通し、ネジ２５４にて操作部ケース２７のネジ止め部２７１にネジ止め固定する。次に、操作部ケース２７のガイド辺２８０を操作面２６の背面に設けたガイドリブ２６４に当接した後、操作部ケース２７の取付穴２７９を貫通してネジ２５３にて操作面２６の背面に設けた取付ボス２６３へネジ止め固定する。これによって、操作部２５が化粧板４に組み付けられる。
【００３４】
まず、化粧板４の下端６９をベース５の縁部６８背面側に差し込む。次に、化粧板４の中央凸部６５を左右枠２・３の中央係止穴６６に差し込む。そして、操作部ケース２７の係止片６０を斜め上方から左右枠２・３の受け部６１・６２に係止すれば、図６で示す様に、受け部６１・６２と下端部６０１の接触面を基準とすることで、左右枠２・３の上部前方の操作部取付段部６３と、操作部２５の上端部６４の間に段差や隙間が生じることなく、美しく当接することができる。操作部ケース２７と化粧板４の部品寸法のバラツキや組み付け誤差は、化粧板４の下端６９とベース５の間に発生する隙間（隙間寸法B）によって調節されるが、この隙間（隙間寸法B）は縁部６８の内側に隠れるの外観を損なうことがない。また縁部６８の上端と段部６７の間の隙間（隙間寸法A）も、部品寸法のバラツキや組み付け誤差によって変化するが、この隙間（隙間寸法A）から除湿機の内部が見えて美観を損ねることはない。これによって、外枠（左右枠２・３）と操作部２５の間に隙間や段差が生じることを、簡単に防止することができ、美観を損ねることで商品性が低下することを防止しすることができる。また、構造が簡単なので、コストアップを招くことなく、コンパクトで安価な空気調和機を提供することができるものである。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３６】
例えば、本発明に係る空気調和機は、除湿機１以外にも空調機、加湿機、乾燥機などの操作部を有する機器にも適用することができる。
【符号の説明】
【００３７】
１  除湿機
１５  ドレンタンク
２５  操作部
２７  操作部ケース
２８  操作部基板
３６  ファンケース
４０  圧縮機
４１  凝縮器
４３  蒸発器
６０  係止片
６０１  下端部
６０２  上部固定部
６１  右受け部
６２  左受け部
６４  上端部
６７  段部
６８  縁部
６９  下端
【図１】
0006585531.tif 000002
【図２】
0006585531.tif 000003
【図３】
0006585531.tif 000004
【図４】
0006585531.tif 000005
【図５】
0006585531.tif 000006
【図６】
0006585531.tif 000007
【図７】
0006585531.tif 000008
【図８】
0006585531.tif 000009
【図９】
0006585531.tif 000010
【図１０】
0006585531.tif 000011